(57)【要約】【課題】あるオペレータのみによるカメラの独占状態を防止することができるとともに、後取り優先にした場合のカメラの奪い合いを防止できる映像切替装置及び映像切替方法を提出する。【解決手段】カメラ２を選択・制御中のオペレータに対してカメラ制御権の譲渡要求を行えるとともに、その譲渡要求に対してカメラ２を選択・制御中のオペレータが他のオペレータにカメラ制御権の譲渡を行え、さらにカメラ制御権の譲渡要求を行ってから所定時間以内にカメラ２を選択・制御中のオペレータから応答がなかった場合に自動的にカメラ制御権を譲渡するようにした。これにより、あるオペレータのみによるカメラの独占状態を防止できる。また、先取り優先のため、カメラ制御権を譲渡しない限りカメラ２の選択・制御ができないので、カメラ２の奪い合いを防止できる。【選択図】図１
2007336357.tif 000002
【特許請求の範囲】
【請求項１】
カメラを複数のオペレータ夫々に対して切り替えて各オペレータによるカメラ制御を可能とする映像切替装置において、
第１のオペレータによるカメラ選択操作があると、選択されたカメラが既に選択済みで制御中である場合、カメラ制御権譲渡要求を発行して、カメラ選択・制御中の第２のオペレータに通知するカメラ制御権譲渡要求発行手段と、
カメラ選択・制御中の前記第２のオペレータによるカメラ制御権譲渡操作があると、カメラ選択希望の前記第１のオペレータにカメラ制御権を譲渡するカメラ制御権譲渡手段と、
を備える映像切替装置。
【請求項２】
前記カメラ制御権譲渡要求発行手段は、カメラ制御権譲渡要求にカメラ選択希望の前記第１のオペレータが指定した緊急度合いを含ませる請求項１に記載の映像切替装置。
【請求項３】
前記カメラ制御権譲渡手段は、前記カメラ制御権譲渡要求発行手段からカメラ制御権譲渡要求がカメラ選択・制御中の前記第２のオペレータに通知された時点から所定時間以内に前記第２のオペレータによるカメラ制御権譲渡操作がなかった場合、自動的にカメラ選択希望の前記第１のオペレータにカメラ制御権を譲渡する請求項１又は請求項２に記載の映像切替装置。
【請求項４】
前記カメラ制御権譲渡要求発行手段は、カメラ制御権譲渡要求を発行した場合、カメラ制御権譲渡要求処理が完了するまで、その他のオペレータによるカメラ制御権譲渡要求は受け付けない請求項１乃至請求項３のいずれかに記載の映像切替装置。
【請求項５】
請求項１乃至請求項４のいずれかに記載の映像切替装置と、
少なくとも１台のカメラと、
少なくとも１台のモニタと、
カメラ選択、カメラ制御権譲渡を含むカメラ制御の各種操作を行うためのコントローラとを備え、
前記映像切替装置は、カメラ制御権を持つオペレータによって前記コントローラにて選択された前記カメラで撮影された映像を前記モニタに映し出す映像監視システム。
【請求項６】
カメラを複数のオペレータ夫々に対して切り替えて各オペレータによるカメラ制御を可能とする映像切替方法において、一のオペレータが所望のカメラを選択しようとした際に、該カメラが既に選択済みで制御中である場合、カメラ制御権譲渡要求を発行してカメラ選択・制御中の他のオペレータに通知し、この通知を受けてカメラ選択・制御中の前記他のオペレータがカメラ制御権譲渡操作を行うことでカメラ選択希望の前記一のオペレータにカメラ制御権を譲渡する映像切替方法。
【発明の詳細な説明】
【技術分野】
【０００１】
本発明は、カメラを複数のオペレータ夫々に対して切り替えて各オペレータによるカメラ制御を可能とする映像切替装置及び映像切替方法に関する。
【背景技術】
【０００２】
従来、オペレータ毎のプライオリティを記憶し、あるカメラに対して複数のアクセス要求があった場合、記憶したオペレータ毎のプライオリティを参照してプライオリティの高いオペレータにカメラ選択制御権を設定する映像切替装置が提案されている（例えば、特許文献１参照）。また、プライオリティが同じ場合、先取り優先か後取り優先の２つの方式がある。
【０００３】
【特許文献１】特開２００１−１４８８４６号公報
【発明の開示】
【発明が解決しようとする課題】
【０００４】
しかしながら、従来の映像切替装置においては、次のような問題がある。例えば、先取り優先では、オペレータＢが１度カメラを選択すると、オペレータＢがカメラ選択制御権を放棄するまでの間、オペレータＢと同等以下のプライオリティを持つオペレータＡが該カメラを選択・制御することができない。また、オペレータＢが不在により無操作状態が続いた場合でもオペレータＡは選択制御不可状態のままである。また、オートログオフ機能により無操作状態が続いた場合、カメラ選択制御権を自動破棄できるものの、ログオフ状態になってしまうため、使用しようとすると、再ログイン操作が必要となる。一方、後取り優先にした場合、同一プライオリティのオペレータ間でカメラの奪い合いが発生してしまう。
【０００５】
本発明は、係る事情に鑑みてなされたものであり、先取り優先を基本としているが、あるオペレータのみによるカメラの独占状態を防止することができるとともに、カメラの奪い合いを防止できる映像切替装置及び映像切替方法を提供することを目的とする。
【課題を解決するための手段】
【０００６】
上記目的は下記構成又は方法により達成される。
本発明の映像切替装置は、カメラを複数のオペレータ夫々に対して切り替えて各オペレータによるカメラ制御を可能とする映像切替装置において、第１のオペレータによるカメラ選択操作があると、選択されたカメラが既に選択済みで制御中である場合、カメラ制御権譲渡要求を発行して、カメラ選択・制御中の第２のオペレータに通知するカメラ制御権譲渡要求発行手段と、カメラ選択・制御中の前記第２のオペレータによるカメラ制御権譲渡操作があると、カメラ選択希望の前記第１のオペレータにカメラ制御権を譲渡するカメラ制御権譲渡手段と、を備える。
【０００７】
この構成により、カメラ選択・制御中の第２のオペレータに対してカメラ制御権の譲渡要求を行えるとともに、その譲渡要求に対して、カメラ選択・制御中の第２のオペレータが第１のオペレータにカメラ制御権の譲渡を行えるので、あるオペレータのみによるカメラの独占状態を防止できる。また、先取り優先のため、第２のオペレータがカメラ制御権を譲渡しない限りカメラの選択・制御ができないので、カメラの奪い合いを防止できる。
【０００８】
本発明の映像切替装置は、前記カメラ制御権譲渡要求発行手段は、カメラ制御権譲渡要求にカメラ選択希望の前記第１のオペレータが指定した緊急度合いを含ませる。
【０００９】
この構成により、カメラ選択・制御中の第２のオペレータに対して緊急度合いを通知するので、カメラ選択・制御中の第２のオペレータは、カメラ制御権を譲渡するか否かを明確に判定することができる。
【００１０】
本発明の映像切替装置は、前記カメラ制御権譲渡手段は、前記カメラ制御権譲渡要求発行手段からカメラ制御権譲渡要求がカメラ選択・制御中の前記第２のオペレータに通知された時点から所定時間以内に前記第２のオペレータによるカメラ制御権譲渡操作がなかった場合、自動的にカメラ選択希望の前記第１のオペレータにカメラ制御権を譲渡する。
【００１１】
この構成により、第１のオペレータがカメラ制御権の譲渡要求を行ってから所定時間以内にカメラ選択・制御中の第２のオペレータから応答がなかった場合、自動的にカメラ制御権を譲渡するので、あるオペレータのみによるカメラの独占状態を防止することができる。
【００１２】
本発明の映像切替装置は、前記カメラ制御権譲渡要求発行手段は、カメラ制御権譲渡要求を発行した場合、カメラ制御権譲渡要求処理が完了するまで、その他のオペレータによるカメラ制御権譲渡要求は受け付けない。
【００１３】
この構成により、カメラ制御権譲渡要求を発行した場合、カメラ制御権譲渡要求処理が完了するまで、その他のオペレータによるカメラ制御権譲渡要求を受け付けないので、カメラ制御権譲渡における混乱を防止できる。
【００１４】
本発明の映像監視システムは、上記映像切替装置のいずれかと、少なくとも１台のカメラと、少なくとも１台のモニタと、カメラ選択、カメラ制御権譲渡を含むカメラ制御の各種操作を行うためのコントローラとを備え、前記映像切替装置は、カメラ制御権を持つオペレータによって前記コントローラにて選択された前記カメラで撮影された映像を前記モニタに映し出す。
【００１５】
この構成により、上記映像切替装置のいずれかを備えるので、あるオペレータのみによるカメラの独占状態が生じることなく、また先取り優先のため、カメラの奪い合いが起こることがない。
【００１６】
本発明の映像切替方法は、カメラを複数のオペレータ夫々に対して切り替えて各オペレータによるカメラ制御を可能とする映像切替方法において、一のオペレータが所望のカメラを選択しようとした際に、該カメラが既に選択済みで制御中である場合、カメラ制御権譲渡要求を発行してカメラ選択・制御中の他のオペレータに通知し、この通知を受けてカメラ選択・制御中の前記他のオペレータがカメラ制御権譲渡操作を行うことでカメラ選択希望の前記一のオペレータにカメラ制御権を譲渡する。
【００１７】
この方法により、カメラ選択・制御中の第２のオペレータに対してカメラ制御権の譲渡要求を行えるとともに、その譲渡要求に対して、カメラ選択・制御中の第２のオペレータが第１のオペレータにカメラ制御権の譲渡を行えるので、あるオペレータのみによるカメラの独占状態を防止できる。また、先取り優先のため、第２のオペレータがカメラ制御権を譲渡しない限りカメラの選択・制御ができないので、カメラの奪い合いを防止できる。
【発明の効果】
【００１８】
本発明によれば、カメラ選択・制御中の第２のオペレータに対してカメラ制御権の譲渡要求を行えるとともに、その譲渡要求に対して、カメラ選択・制御中の第２のオペレータが第１のオペレータにカメラ制御権の譲渡を行えるので、あるオペレータのみによるカメラの独占状態を防止できる。また、先取り優先のため、第２のオペレータがカメラ制御権を譲渡しない限りカメラの選択・制御ができないので、カメラの奪い合いを防止できる。
【発明を実施するための最良の形態】
【００１９】
以下、本発明を実施するための好適な実施の形態について、図面を参照して詳細に説明する。
【００２０】
図１は、本発明の一実施の形態に係る映像監視システムの概略構成を示すブロック図である。同図において、本実施の形態の映像監視システムは、映像切替装置１と、複数のカメラ２と、複数のモニタ３と、レコーダ４と、複数のコントローラ５とを備えて構成される。映像切替装置１は、カメラ制御部１１と、映像切替部１２と、キャラクタ表示制御部１３と、レコーダ制御部１４と、管理部１５とを備えて構成される。管理部１５は、プライオリティ管理部１５１と、状態管理部１５２と、ユーザレベル管理部１５３と、タイマ１５４と、タイマ管理部１５５とから構成される。プライオリティ管理部１５１は譲渡管理部１５１１を備えている。
【００２１】
カメラ制御部１１は、複数のカメラ２それぞれの映像信号を出力するとともに、管理部１５からの指示に従って各カメラ２のパン、チルト、ズーム等の制御を行う。映像切替部１２は、カメラ２とモニタ３の対応付けを行うものであり、管理部１５で指定されたカメラ２の映像を管理部１５で指定されたモニタ３に映し出すための映像の切り替えを行う。例えば、１番目のカメラ２の映像を３番目のモニタ３に映し出すための切り替えを行う。キャラクタ表示切替制御部１３は、カメラ２からの映像信号にキャラクタの映像信号を重畳する。レコーダ制御部１４は、管理部１５からの指示に従ってレコーダ４を制御する。管理部１５は、装置各部を制御するものである。
【００２２】
プライオリティ管理部１５１は、各オペレータがカメラ２を選択・制御できるプライオリティを管理する。譲渡管理部１５１１は、オペレータ間のカメラ選択制御権の譲渡を管理する。状態管理部１５２は、今現在のオペレータと、選択されているカメラ番号の関連付けを記憶する。例えば、オペレータＡが１番カメラ２を選択・制御している場合、オペレータＡと１番カメラ２が関連付けられて記憶されている。ユーザレベル管理部１５３は、オペレータ毎にカメラ選択制御権があるかどうかを管理する。例えば、オペレータＡは１番カメラの選択制御権があり、２番カメラ以降は選択制御権がないというように、選択・制御できるカメラを管理する。タイマ管理部１５５は、タイマ１５４の出力を管理する。
【００２３】
次に、上記構成の映像監視システムの動作を説明する。図２は、映像切替装置１のカメラ選択優先権譲渡処理を示すフロー図である。同図に示す処理は、オペレータＡ（図では単に「Ａ」と記載）がオペレータＢ（図では単に「Ｂ」と記載）に対しカメラ制御権の譲渡を要求する場合である。また、オペレータＢは、オペレータＡと同等かそれ以上のプライオリティを持つものとする。
【００２４】
さて、図２において、オペレータＡによるカメラ選択操作があると（ステップＳ１０）、オペレータＡが選択したカメラ２（即ち選択対象のカメラ２）をオペレータＢが選択・制御中であるかどうか判定する（ステップＳ１１）。なお、選択対象のカメラ２の状態は状態管理部１５２が把握している。オペレータＢが選択・制御中でない場合（即ちステップＳ１１の判定でＮＯの場合）は、無条件にカメラを選択できる。これに対して、オペレータＢが選択対象のカメラ２を選択・制御中である場合（即ちステップＳ１１の判定でＹＥＳの場合）は、オペレータＡにビジー状態を通知する（ステップＳ１３）。この通知は、例えばオペレータＡが操作しているコントローラ５に複数の表示手段（例えば、発光ダイオード）が設けられていて、そのうちのビジー状態を示すものを点滅させることで行われる。
【００２５】
オペレータＡが選択したカメラ２をオペレータＢが選択・操作中であることを示すビジー状態を通知した後、オペレータＡがカメラ制御権の譲渡を要求したかどうか判定する（ステップＳ１４）。この判定において、カメラ制御権の譲渡を要求しなかった場合は、ステップＳ１０に戻り、カメラ制御権の譲渡権を要求した場合は、オペレータＡが選択した緊急度合いレベルを取得する（ステップＳ１５）。ここで、緊急度合いレベル１：犯罪の起こり得る可能性８１〜１００％、緊急度合いレベル２：犯罪の起こり得る可能性５１〜８０％、緊急度合いレベル３：犯罪の起こり得る可能性５０％以下であるとして、例えばオペレータＡは緊急度合いレベル１を選択したとする。
【００２６】
次いで、オペレータＡが選択した緊急度合いレベルを譲渡要求状態としてオペレータＢに通知する（ステップＳ１６）。ここで、譲渡要求状態を例えば発光ダイオードの１秒間の点滅回数によって示すものとし、緊急度合いレベル１：１０回／秒、緊急度合いレベル２：５回／秒、緊急度合いレベル３：１回／秒とすると、上述したように、オペレータＡは緊急度合いレベル１を選択したので、緊急度合いレベル１として、オペレータＢが操作しているコントローラ５の譲渡要求状態を示す発光ダイオードを１秒間に１０回点滅させる。因みに、オペレータＡが緊急度合いレベル２を選択した場合は、緊急度合いレベル２として、オペレータＢのコントローラ５の発光ダイオードを１秒間に５回点滅させる。また、オペレータＡが緊急度合いレベル３を選択した場合は、緊急度合いレベル３として、オペレータＢのコントローラ５の発光ダイオードを１秒間に１回点滅させる。
【００２７】
オペレータＢに譲渡要求状態を通知した後、オペレータＢからの応答があるかどうか判定する（ステップＳ１７）。この判定において、オペレータＢから応答があった場合（ステップＳ１７の判定でＹＥＳの場合）、その応答がカメラ制御権を譲渡するものであるかどうか判定する（ステップＳ１８）。この判定において、カメラ制御権を譲渡するものである場合（ステップＳ１８の判定でＹＥＳの場合）で、オペレータＢによってカメラ制御権譲渡操作が行われると（ステップＳ１９）、カメラ制御権をオペレータＢからオペレータＡに移す（譲渡する）。また同時にオペレータＡに対するビジーを解除し、さらにオペレータＢに対しビジー通知を行う（ステップＳ１２）。
【００２８】
一方、上記ステップＳ１８の判定において、オペレータＢがカメラ制御権の譲渡をしない場合（ステップＳ１８の判定でＮＯの場合）は、オペレータＢによってカメラ制御権譲渡拒否操作が行われる（ステップＳ２０）。また、上記ステップＳ１７の判定において、オペレータＢからの応答がなかった場合（ステップＳ１７の判定でＹＥＳの場合）は、タイマ１５４をカウントし（ステップＳ２１）、そしてタイムオーバーかどうか判定して（ステップＳ２２）、タイムオーバーでなければステップＳ１７の判定を繰り返し、タイムオーバーであればステップＳ１２に移行し、カメラ制御権をオペレータＢからオペレータＡに移す（譲渡する）とともに、オペレータＡに対するビジーを解除し、さらにオペレータＢに対しビジー通知を行う。
【００２９】
このように、本実施の形態の映像監視システムによれば、カメラ２を選択・制御中のオペレータＢに対してカメラ制御権の譲渡要求を行えるとともに、その譲渡要求に対してカメラ２を選択・制御中のオペレータＢがオペレータＡにカメラ制御権の譲渡を行え、さらにオペレータＡがカメラ制御権の譲渡要求を行ってから所定時間以内にカメラ２を選択・制御中のオペレータＢから応答がなかった場合に自動的にカメラ制御権を譲渡するようにしたので、オペレータＢのみによるカメラ２の独占状態を防止できる。また、先取り優先のため、カメラ制御権を譲渡しない限りカメラ２の選択・制御ができないので、カメラの奪い合いを防止できる。
【００３０】
また、カメラ制御権の譲渡要求を行う際に、カメラ２を選択・制御中のオペレータＢに対して緊急度合いを通知するので、カメラ制御権を譲渡するか否かを明確に判定することができる。
【００３１】
また、カメラ制御権譲渡要求を発行した場合、カメラ制御権譲渡要求処理が完了するまで、オペレータＢと同等かそれ以下のプライオリティを持つオペレータによるカメラ制御権譲渡要求を受け付けないので、カメラ制御権譲渡中における混乱を防止できる。
【００３２】
また、プライオリティ優先とする従来と同様にカメラの選択・制御が可能であることから、例えばオペレータＡのプライオリティがオペレータＢのプライオリティより高い場合には、オペレータＡによるカメラ選択操作があると、無条件でカメラ２の制御権がオペレータＡに譲渡されることになる。
【産業上の利用可能性】
【００３３】
本発明は、あるオペレータのみによるカメラの独占状態を防止することができるとともに、後取り優先にした場合のカメラの奪い合いを防止できるといった効果を有し、監視用途に向けた映像監視システムなどへの適用が可能である。
【図面の簡単な説明】
【００３４】
【図１】本発明の一実施の形態に係る映像監視システムの概略構成を示すブロック図
【図２】図１に示す映像監視システムの映像切替装置の動作を説明するためのフロー図
【符号の説明】
【００３５】
１  映像切替装置
２  カメラ
３  モニタ
４  レコーダ
５  コントローラ
１１  カメラ制御部
１２  映像切替部
１３  キャラクタ表示制御部
１４  レコーダ制御部
１５  管理部
１５１  プライオリティ管理部
１５２  状態管理部
１５３  ユーザレベル管理部
１５４  タイマ
１５５  タイマ管理部
１５１１  譲渡管理部
【図１】
2007336357.tif 000003
【図２】
2007336357.tif 000004